(57)【要約】      （修正有）【課題】ルアーの操作時に、ルアー本体を容易に前傾斜させることができるにも関わらず、魚をより確実に捕獲することができるルアーを提供する。【解決手段】ルアー１は、口部２１ａを有する頭部２１と尾部２３と背部２５と腹部２７とを有する魚形状のルアー本体２と、ルアー本体２の背部２５において前後方向の中央部よりも後方の尾部２３寄りの位置で背部２５から突出する針３と、ルアー本体２の口部２１ａ近傍に位置するように設けられた錘部４と、ルアー本体２の背部２５において針３よりも前方の位置であって且つ錘部４よりも後方の位置に設けられた釣り糸取付け部５と、を備える。針３は、ルアー本体２の背部２５に取り付けられた根本部３１から上方に延び前方に湾曲して尖った先端３３が前方に向けられた湾曲形状とされている。【選択図】図１
0003231352.tif 000002
【実用新案登録請求の範囲】
【請求項１】
口部を有する頭部と尾部と背部と腹部とを有する略魚形状のルアー本体と、
前記ルアー本体の前記背部において前後方向の中央部よりも後方の尾部寄りの位置で前記背部から突出する針と、
前記ルアー本体の前記口部近傍に位置するように設けられた錘部と、
前記ルアー本体の前記背部において前記針よりも前方の位置であって且つ前記錘部よりも後方の位置に設けられた釣り糸取付け部と、
を備え、
前記針は、前記ルアー本体の前記背部に取り付けられた根本部から上方に延び前方に湾曲して尖った先端が前方に向けられた湾曲形状である
ことを特徴とするフィッシング用ルアー。
【請求項２】
請求項１に記載したフィッシング用ルアーであって、前記錘部は、前記背部よりも前記腹部に寄った位置で、外部に露出した状態で設けられていることを特徴とするフィッシング用ルアー。
【請求項３】
請求項１又は２に記載したフィッシング用ルアーであって、前記針と前記錘部と前記釣り糸取付け部は、互いに固定されていることを特徴とするフィッシング用ルアー。
【請求項４】
請求項３に記載したフィッシング用ルアーであって、前記針と前記錘部と前記釣り糸取付け部は、前記ルアー本体内を少なくとも前後方向に延びるように配置された固定部材を利用して互いに固定されており、前記前後方向において、前記針は前記固定部材の後端に、前記錘部は前記固定部材の前端に、前記釣り糸取付け部は前記固定部材の中間部に、それぞれ、設けられたことを特徴とするフィッシング用ルアー。
【請求項５】
請求項４に記載したフィッシング用ルアーであって、前記ルアー本体の前記腹部に釣り針取付け部を更に備え、前記釣り針取付け部は、前記固定部材の中間部に設けられ、前記固定部材を利用して、前記針、前記錘部、及び前記釣り糸取付け部と互いに固定されていることを特徴とするフィッシング用ルアー。
【請求項６】
請求項４又は請求項５に記載したフィッシング用ルアーであって、前記固定部材は樹脂製であることを特徴とするフィッシング用ルアー。
【請求項７】
請求項１から請求項までのいずれか１項に記載したフィッシング用ルアーであって、前記ルアー本体は、軟質樹脂材料により形成されたものであることを特徴とするフィッシング用ルアー。
【請求項８】
請求項１から請求項７までのいずれか１項に記載したフィッシング用ルアーであって、前記錘部は、前記ルアー本体の前記口部近傍において、連結部を介して前記固定部材と連結された錘部本体とを有することを特徴とするフィッシング用ルアー。
【請求項９】
請求項８に記載したフィッシング用ルアーであって、前記連結部は、前記固定部材に対する前記錘部本体の位置を調整することが可能な部材から成ることを特徴とするフィッシング用ルアー。
【請求項１０】
請求項８又は９に記載したフィッシング用ルアーであって、前記錘部本体は、前記ルアー本体から露出させた状態で設けられていることを特徴とするフィッシング用ルアー。
【請求項１１】
請求項８から請求項１０までのいずれか１項に記載したフィッシング用ルアーであって、前記錘部本体は、前記固定部材に対して前下方に位置し前下面が凸曲面とされていることを特徴とするフィッシング用ルアー。
【請求項１２】
請求項１から請求項１１までのいずれか１項に記載したフィッシング用ルアーであって、前記釣り糸取付け部は、該釣り糸取付け部における空気中での前後方向の重量バランスが、前記ルアー本体に、水平位置に対しほぼ１０度〜３０度の前傾斜を生じる位置に設けられることを特徴とするフィッシング用ルアー。
【考案の詳細な説明】
【技術分野】
【０００１】
本考案は、フィッシング用ルアー、特に、略魚形状のルアー本体を有するフィッシング用ルアーに関する。
【背景技術】
【０００２】
略魚形状をなすルアー本体を有するルアーの一例が特許文献１に開示されている。ルアー本体は、中空のプラスチックにより形成されており、略魚形状を具現する頭部、尾部、背部、腹部を有する。尾部並びに腹部にそれぞれ、釣り針連結用リングが設けられている。特許文献１に特に説明はないが、これら釣り針連結用リングには、従来の一般的なルアーと同様に、釣り針が垂れ下がった状態でそれぞれ連結されるものと考えられる。頭部近傍に、一部をルアー本体の一部中空部内に位置付けた状態で、且つ、他の一部をルアー本体の頭部部分から露出した状態で、錘が設けられている。このように錘を頭部近傍に位置付けたことにより、ルアー本体の重心を頭部の先端側にもたらすことができるようになっており、結果、ルアーを前傾斜させ、根掛かりを効果的に防止することができるようになっている。錘、特に頭部部分から露出した部分は、機械的強度の高い材料により形成されており、ルアー本体が障害物等に打ち当てられた際の破損防止に役立つものとなっている。
【０００３】
特許文献１のルアーは、このように、ルアーを前傾斜させることによって、根掛かりを効果的に防止することができる構造を有しているが、釣り針は、尾部並びに腹部のそれぞれに垂れ下がった状態で設けられることから、通常、尖った針の先端は略真上を向くことになる。一般に、前傾斜したルアーに対し、捕獲すべき魚は、ルアーの後方からルアーと同様の傾斜角で食いつくことが多いが、この場合、針の先端を略真上を向けた状態で尾部並びに腹部にそれぞれ設けた釣り針によっては、上記の角度で食いついてきた魚を捕獲し難く、従って、捕獲に失敗する確率が比較的高くなってしまうと考えられる。
【先行技術文献】
【特許文献】
【０００４】
【特許文献１】登録実用新案第３０７９１０号公報
【考案の概要】
【考案が解決しようとする課題】
【０００５】
本考案の目的は、上記の欠点を解消したフィッシング用ルアーを提供することにあり、ルアーを前傾斜させて根掛かりを効果的に防止することができると同時に、前傾斜させた状態であっても魚をより確実に捕獲することができるルアーを提供することにある。
【課題を解決するための手段】
【０００６】
上記の課題を解決するため、本考案の一態様によるフィッシング用ルアーは、口部を有する頭部と尾部と背部と腹部とを有する魚形状のルアー本体と、前記ルアー本体の前記背部において前後方向の中央部よりも後方の尾部寄りの位置で前記背部から突出する針と、前記ルアー本体の前記口部近傍に位置するように設けられた錘部と、前記ルアー本体の前記背部において前記針よりも前方の位置であって且つ前記錘部よりも後方の位置に設けられた釣り糸取付け部と、を備え、前記針は、前記ルアー本体の前記背部に取り付けられた根本部から上方に延び前方に湾曲して尖った先端が前方に向けられた湾曲形状であることを特徴として有する。
この態様のフィッシング用ルアーによれば、錘部と釣り糸取り付け部との間の上記の位置関係によって、ルアーを容易に前傾斜させることができ、また、このようなルアー本体の背部に、尖った先端が前方に向けられた湾曲形状の針を設けたことにより、ルアーの後方からルアーと同様の傾斜角で食いついてきた魚をより確実に捕獲することができる。更に詳細には、尖った先端が前方に向くように湾曲した針が、背部に設けられているため、この針が、根掛かりの原因になることはなく、また、例えば腹部から垂れ下がった状態で従来型の釣り針を設けた場合であっても、ルアーが前傾斜していることから、これら従来型の釣り針が根掛かりを生じさせることもない。
【考案の効果】
【０００７】
ルアーを前傾斜させて根掛かりを効果的に防止することができると同時に、前傾斜させた状態であっても魚をより確実に捕獲することができるルアーを提供することができる。
【図面の簡単な説明】
【０００８】
【図１】本考案によるフィッシング用ルアーの側面図である。
【図２】ルアーからルアー本体を取り除いた状態を示す側面図である。
【図３】図２の概略中心線断面図である。
【図４】ルアーの使用状態の一例を示す概略図である。
【考案を実施するための形態】
【０００９】
以下、本考案を実施するための例示的な実施形態を、図面を参照して詳細に説明する。説明の便宜のため好適な実施形態のみを示すが、勿論、これによって本考案を限定しようとするものではない。
【００１０】
図１に、本考案によるフィッシング用ルアーの側面図を示す。本ルアー１は、ルアー本体２に加え、針３、錘部４、釣り糸取付け部５、及び釣り針取付け部７を備える。
ルアー本体２は、全体として略魚形状を成しており、口部２１ａを有する頭部２１、尾部２３、背部２５、及び腹部２７を含む。ルアー本体２は、例えば、熱可塑性シリコーンのようなワーム素材等の軟質樹脂材料で形成されており、従って、リトリーブやリーリング等の際に、真の魚により近い動きを再現することができる。
【００１１】
図２に、ルアー１からルアー本体２を取り除いた状態を側面図で示し、更に、図３に、図２の概略中心線断面図を示す。
ルアー１は、ルアー本体２を、固定部材６に取り付けることによって形成されている。固定部材６は、ルアー１の前側部分、言い換えれば、ルアー本体２の頭部２１から背部２５に亘って、ルアー本体２内を少なくとも前後方向に延びるように配置されており、前後方向において、針３は、固定部材６の後端に、錘部４は、固定部材６の前端に、釣り糸取付け部５及び釣り針取付け部７は、固定部材６の中間部に、それぞれ位置付けられている。
【００１２】
固定部材６は、ルアー本体２と異なり、成形可能な硬質材料、例えば、加工容易で且つ製造コストが安価なプラスチック等の樹脂材料で形成されている。固定部材６を硬質材料で、一方で、ルアー本体２を軟質材料で、それぞれ形成することにより、ルアー本体２を固定部材６に容易に取り付けることができる。
【００１３】
ルアー本体２を固定部材６に取り付けたとき、固定部材６は、露出部６１を除き、ルアー本体２によって内包される。従って、ルアー本体２が透明部材で形成されていない限り、又は、ルアー本体１を取り外す等しない限り、露出部６１を除いて固定部材６は外部からは見えない。露出部６１、言い換えれば、硬質材料から成る固定部材６の一部には、シールを貼ることができる。ルアー本体２は軟質材料から成り、シールが剥がれやすいため、硬質材料から成る固定部材６を露出させて、シールを貼ることしたものである。本実施形態では、魚の目玉に相当する部分に目玉のシールを貼るようになっているが、目玉に相当する部分以外の部分を露出させて、シールを貼ることもできる。尚、固定部材６は、必ずしも露出させる必要はなく、ルアー本体２によって完全に内包してもよい。
【００１４】
ルアー本体２の内部において、針３、錘部４、釣り糸取付け部５、及び釣り針取付け部７は、全て、固定部材６に固定されており、また、固定部材６を介して互いに固定されている。針３、錘部４、釣り糸取付け部５、及び釣り針取付け部７の全てを、互いに連結させたことにより、これら各部３、４、５、７の剛性が高められている。また、このように各部３、４、５、７の全てを連結させたことにより、例えば、釣り糸取り付け部５に取り付けた釣り糸８を通じて、針３、錘部４等に、釣り人の操作を直接且つ即座に伝達することができ、従って、ルアーの操作性を向上させることができる。
錘部４を除く、針３、釣り糸取付け部５、及び釣り針取付け部７はそれぞれ、固定部材６に埋め込まれた状態で設けられている。これに対し、錘部４は、一対のワイヤー部分４３ａ、４３ｂから成る連結部４３を介して、間接的に固定部材６と固定されている。尚、図面からは明らかでないが、一対のワイヤー部分４３ａ、４３ｂは、錘部４１の内部において連結された状態にある。これら一対のワイヤー部分４３ａ、４３ｂと、釣り糸取付け部５、及び釣り針取付け部７は、１本の金属ワイヤーを折り曲げることにより、同一部材を用いて連続的に形成されている。これに対し、針３は、錘部４等とは別個に形成されている。
【００１５】
針３は、１本の金属製の棒状部材を折り曲げることにより形成されている。全体としてフック形状を成し、先端側に、湾曲部分を有し、後端側に、固定部材６に埋め込まれる固定部３２を有する。針３は、ルアー本体２の背部２５において、前後方向の中央部よりも後方の尾部２３寄りの位置で、背部２５から突出するように、更に詳細には、ルアー本体２の背部２５に取り付けられた根本部３１から上方に延び、前方に湾曲して尖った先端３３が前方に向けられた湾曲形状となっている。
【００１６】
図４に、ルアー１の使用状態の一例を概略図で示す。本構成によれば、ルアー本体２の背部２５に、尖った先端３３を前方に向けた湾曲形状の針３が設けられていることから、ルアー１の後方からルアー１と同様の傾斜角で食いついてきた魚１０を、より確実に捕獲することができる。なぜなら、針３の先端３３は、先端１１ａが略真上を向いた従来の一般的な釣り針１１とは異なり、魚１の食いつき方向に沿ったものとなっており、結果、針３が魚１０の口付近等に引っ掛かった後は、針３の先端３３より前側に魚１０が移動しない限り、針３が外れることはなく、魚１０にとってそのような移動は容易ではないし、また、魚１０の口は、釣り糸８と針３との間に挟み込まれた状態となるためである。尚、針３は、背部２５に設けられているため、従来の一般的な釣り針１１と異なり、根掛かりの原因になることはない。
【００１７】
錘部４は、成形可能な硬質材料、例えば、固定部材６と同様の樹脂、又は、金属類から成る。錘部４にはある程度の重量が求められることから、樹脂よりも金属類が好ましいが、本実施形態では、加工の容易性の観点から、樹脂を用いた。尚、使用可能な金属材料としては、例えば、鉛、タングステン、亜鉛等を挙げることができる。
【００１８】
錘部４は、ルアー本体２の口部２１ａ近傍であって、且つ、背部２５よりも腹部２７に寄った位置に設けられている。錘部４は、ルアー本体の口部２１ａ近傍において、連結部４３を介して固定部材６と連結された錘部本体４１を含む。
【００１９】
既に説明したように、連結部４３は、一対のワイヤー部分４３ａ、４３ｂによって形成されている。従って、錘部本体４１は固定部材６に対して回転等することなく安定した状態で連結される。一方、連結部４３を形成しているこれらのワイヤー部分４３ａ，４３ｂは、人の力で比較的容易に折り曲げることができる。この折り曲げを通じて、固定部材６に対する錘部本体４１の位置を調整することができ、結果、固定部材６に取り付けたルアー本体２の挙動を容易に調整することができる。特に、本実施形態のように、ルアー本体２が軟質樹脂材料で形成されている場合には、それが硬質材料で形成されている場合に比べて、挙動が不安定になりがちであるが、ワイヤー部分４３ａ，４３ｂを利用して、固定部材６との関係で錘部本体４１を位置調整可能とすることにより、ルアー本体２の挙動を比較的容易に調整することができる。
【００２０】
錘部本体４１は、固定部材６に対して前下方に位置し、前下面が凸曲面とされている。このような形状としたことにより、ルアー１が海藻１２（図４参照）等に引っ掛かる危険が減少する。また、錘部本体４１は、ルアー本体２から外部に露出した状態で設けられており、このため、ルアー１を泳がせている際に岩盤等の物体９（図４参照）にルアー１が衝突したときであっても、ルアー本体２に与える損傷を減少させることがでる。更に、錘部本体４１は、金属等の硬質部材で形成されていることから、物体９に衝突した際の感度が良好であり、従って、このような錘部本体４１を設けることにより、ルアー１の操作を容易なものとすることができる。
【００２１】
釣り糸取付け部５は、釣り針取付け部７、及び、連結部４３と連続している１本の金属ワイヤーを折り曲げることによって形成されている。この折曲により、釣り糸取付け部５は、閉じた略Ｕの字状を成す。
釣り糸取付け部５は、ルアー本体２の背部２５において、針３よりも前方の位置であって、且つ、錘部４よりも後方の位置に設けられている。これに対し、錘部４は、ルアー本体２の口部２１ａ近傍であって、且つ、背部２５よりも腹部２７に寄った位置設けられており、釣り糸取付け部５と錘部４との間の位置関係により、ルアーの使用時にルアー１を確実に前傾斜させることができる。ルアー本体２にて釣り糸取付け部５を設ける位置は、水中の浮力等をも考慮して、釣り糸取付け部５における空気中での前後方向の重量バランスが、ルアー本体２に、水平位置に対しほぼ１０度〜３０度の前傾斜を生じる位置、更に詳細には、前傾斜させたルアー本体２の前後方向を通る中心線Ｌ（図１参照）と、水平方向とが成す角度が、ほぼ１０度〜３０度であるのが好ましい。ここで、中心線Ｌは、錘部本体４１の直上部の近傍を通過するもの、且つ、湾曲した針３の尖った先端３３が指す方向と略同じ方向に沿っているものとする。
【００２２】
釣り針取付け部７は、釣り糸取付け部５、及び、連結部４３と連続している１本の金属ワイヤーを折り曲げることによって形成されている。この折曲により、釣り針取付け部７は、釣り糸取付け部５と同様に、閉じた略Ｕの字状を成す。
釣り針取付け部７は、ルアー本体２の腹部２７において、上下方向において、釣り糸取付け部５の略対向位置に設けられている。図４によく示されているように、釣り針取付け部７には、尖った針の先端１１ａが略真上を向いた従来の一般的な釣り針１１を取り付けることができる、言い換えれば、ルアー１では、背部２５に設けた針３に加えて、従来の釣り針１１を使用することもできる。このように従来の釣り針１１を設けた場合であっても、本構成によれば、釣り糸取付け部５と錘部４との間の位置関係によって、ルアー１を確実に前傾斜させることができることから、前傾斜しない従来の一般的なルアーに比べて、釣り針１１が、根掛かりを生じさせる危険は小さい。
【００２３】
以上の説明は、好ましい実施形態に関するものであり、物品を単に代表するものであることを理解すべきである。異なる実施形態の変形及び修正が上述の教示に照らして当業者に容易に明らかになることを認めることができる。従って、例示的実施形態並びに代替的な実施形態は、添付の特許請求の範囲で説明する物品の精神から逸脱することなく行うことができる。
【符号の説明】
【００２４】
１  ルアー
２  ルアー本体
３  針
４  錘部
５  釣り糸取付け部
６  固定部材
７  釣り針取付け部
２１  頭部
２１ａ  口部
２３  尾部
２５  背部
２７  腹部
４１  錘部本体
４３  連結部
【図１】
0003231352.tif 000003
【図２】
0003231352.tif 000004
【図３】
0003231352.tif 000005
【図４】
0003231352.tif 000006
【手続補正書】
【提出日】令和3年1月20日(2021.1.20)
【手続補正１】
【補正対象書類名】実用新案登録請求の範囲
【補正対象項目名】全文
【補正方法】変更
【補正の内容】
【実用新案登録請求の範囲】
【請求項１】
口部を有する頭部と尾部と背部と腹部とを有する略魚形状のルアー本体と、
前記ルアー本体の前記背部において前後方向の中央部よりも後方の尾部寄りの位置で前記背部から突出する針と、
前記ルアー本体の前記口部近傍に位置するように設けられた錘部と、
前記ルアー本体の前記背部において前記針よりも前方の位置であって且つ前記錘部よりも後方の位置に設けられた釣り糸取付け部と、
を備え、
前記針は、前記ルアー本体の前記背部に取り付けられた根本部から上方に延び前方に湾曲して尖った先端が前方に向けられた湾曲形状である
ことを特徴とするフィッシング用ルアー。
【請求項２】
請求項１に記載したフィッシング用ルアーであって、前記錘部は、前記背部よりも前記腹部に寄った位置で、外部に露出した状態で設けられていることを特徴とするフィッシング用ルアー。
【請求項３】
請求項１又は２に記載したフィッシング用ルアーであって、前記針と前記錘部と前記釣り糸取付け部は、互いに固定されていることを特徴とするフィッシング用ルアー。
【請求項４】
請求項３に記載したフィッシング用ルアーであって、前記針と前記錘部と前記釣り糸取付け部は、前記ルアー本体内を少なくとも前後方向に延びるように配置された固定部材を利用して互いに固定されており、前記前後方向において、前記針は前記固定部材の後端に、前記錘部は前記固定部材の前端に、前記釣り糸取付け部は前記固定部材の中間部に、それぞれ、設けられたことを特徴とするフィッシング用ルアー。
【請求項５】
請求項４に記載したフィッシング用ルアーであって、前記ルアー本体の前記腹部に釣り針取付け部を更に備え、前記釣り針取付け部は、前記固定部材の中間部に設けられ、前記固定部材を利用して、前記針、前記錘部、及び前記釣り糸取付け部と互いに固定されていることを特徴とするフィッシング用ルアー。
【請求項６】
請求項４又は請求項５に記載したフィッシング用ルアーであって、前記固定部材は樹脂製であることを特徴とするフィッシング用ルアー。
【請求項７】
請求項１から請求項６までのいずれか１項に記載したフィッシング用ルアーであって、前記ルアー本体は、軟質樹脂材料により形成されたものであることを特徴とするフィッシング用ルアー。
【請求項８】
請求項４から請求項６までのいずれか１項に記載したフィッシング用ルアーであって、前記錘部は、前記ルアー本体の前記口部近傍において、連結部を介して前記固定部材と連結された錘部本体とを有することを特徴とするフィッシング用ルアー。
【請求項９】
請求項８に記載したフィッシング用ルアーであって、前記連結部は、前記固定部材に対する前記錘部本体の位置を調整することが可能な部材から成ることを特徴とするフィッシング用ルアー。
【請求項１０】
請求項８又は９に記載したフィッシング用ルアーであって、前記錘部本体は、前記ルアー本体から露出させた状態で設けられていることを特徴とするフィッシング用ルアー。
【請求項１１】
請求項８から請求項１０までのいずれか１項に記載したフィッシング用ルアーであって、前記錘部本体は、前記固定部材に対して前下方に位置し前下面が凸曲面とされていることを特徴とするフィッシング用ルアー。
【請求項１２】
請求項１から請求項１１までのいずれか１項に記載したフィッシング用ルアーであって、前記釣り糸取付け部は、該釣り糸取付け部における空気中での前後方向の重量バランスが、前記ルアー本体に、水平位置に対しほぼ１０度〜３０度の前傾斜を生じる位置に設けられることを特徴とするフィッシング用ルアー。